(57)【要約】  (a)複数の工作機械関連処理の各々に対応する画面である処理画面を、ディスプレイ30に表示させる処理画面表示部１５０と、(b)ある事柄について工作機械がどのような状態にあるかを示すアイコンである状態表示アイコン９０，９２，９４を、複数の工作機械関連処理の各々の処理画面のいずれにも表示させる状態表示部１５２とを備え、処理画面表示部１５０が、状態表示アイコン９０ｄに対する操作が操作者によってなされた場合に、状態表示アイコン９０ｄに示された事柄に関する処理を行うためのウィンドウ１２０を現在表示されている処理画面上に表示させる。あるいは、状態表示アイコン９０，９２，９４に示された事柄に関係する工作機械関連処理の処理画面をディスプレイ３０に表示させる。
2017149667.tif 000002
【特許請求の範囲】
【請求項１】
ディスプレイを有し、工作機械を管理すべく、前記ディスプレイを利用してそれぞれが前記工作機械に関する処理である複数の工作機械関連処理を実行するように構成された工作機械管理装置であって、
前記複数の工作機械関連処理の各々に対応する画面である処理画面を、前記ディスプレイに表示させる処理画面表示部と、
ある事柄について工作機械がどのような状態にあるかを示すアイコンである状態表示アイコンを、前記複数の工作機械関連処理の各々の処理画面のいずれにも表示させる状態表示部と
を備え、
前記処理画面表示部が、
前記状態表示アイコンに対する操作が操作者によってなされた場合に、(A)その状態表示アイコンに示された事柄に関係する工作機械関連処理の処理画面を前記ディスプレイに表示させる、あるいは、(B)前記状態表示アイコンに示された事柄に関する処理を行うためのウィンドウを現在表示されている処理画面上に表示させるように構成された工作機械管理装置。
【請求項２】
当該工作機械管理装置が、
前記工作機械関連処理として、ある事柄についての前記工作機械の状態を、複数の状態のうちから択一的に選択された状態とする処理を実行するように構成され、
前記状態表示部が、
前記状態表示アイコンに、前記工作機械が前記複数の状態のうちから選択された状態にあることを表示するように構成され、
前記処理画面表示部が
前記状態表示アイコンに対する操作が操作者によってなされた場合に、前記複数の状態のうちから１つのものを操作者に選択させるためのウィンドウを処理画面上に表示させるように構成された請求項１に記載の工作機械管理装置。
【請求項３】
当該工作機械管理装置が、
前記工作機械のワークに対する加工作業を行うための作動状態を、設定された複数の作動状態のうちから択一的に選択された作動状態とする処理を実行するように構成され、
前記状態表示部が、
前記選択状態表示アイコンに、前記工作機械が前記複数の作動状態のうちから選択された作動状態にあることを表示するように構成され、
前記処理画面表示部が
前記選択状態表示アイコンに対する操作が操作者によってなされた場合に、前記複数の作動状態のうちから１つのものを操作者に選択させるためのウィンドウを処理画面上に表示させるように構成された請求項２に記載の工作機械管理装置。
【請求項４】
当該工作機械管理装置が、
前記工作機械関連処理として、それぞれが、ある事柄についての前記工作機械の状態を、第１状態と第２状態との一方の状態とする処理である複数の状態切換処理を実行するように構成され、
前記状態表示部が、
前記状態表示アイコンに、前記複数の状態切換処理の各々によって、前記工作機械のある事柄についての状態が第１状態と第２状態とのいずれの状態にあるかをまとめて表示するように構成され、
前記処理画面表示部が、
前記状態表示アイコンに対する操作が操作者によってなされた場合に、前記複数の状態切換処理の各々において第１状態と第２状態とのいずれの状態とするかを操作者に選択させるためのウィンドウを処理画面上に表示させるように構成された請求項１に記載の工作機械管理装置。
【請求項５】
前記複数の状態切換処理の各々が、
ある事柄についての前記工作機械の状態を、定められた状態を実現したＯＮ状態と、実現していないＯＦＦ状態との間で切り換える処理であり、
前記状態表示アイコンに、前記複数の状態切換処理の各々に対応する前記工作機械のある事柄についての状態を、ＯＮ状態のものを点灯させ、ＯＦＦ状態のものを点灯させずに表示するように構成された請求項４に記載の工作機械管理装置。
【請求項６】
前記状態表示部が、
それぞれが、前記状態表示アイコンである複数の状態表示アイコンを、前記複数の工作機械関連処理の各々の処理画面のいずれにも表示させるように構成された請求項１ないし請求項５のいずれか１つに記載の工作機械管理装置。
【請求項７】
前記状態表示部が、
前記複数の状態表示アイコンの各々を、統一された大きさで、前記複数の工作機械関連処理の各々の処理画面のいずれにも表示させるように構成された請求項６に記載の工作機械管理装置。
【発明の詳細な説明】
【技術分野】
【０００１】
本発明は、工作機械を管理すべくその工作機械に関する種々の処理を実行可能な工作機械管理装置に関する。
【背景技術】
【０００２】
下記特許文献１には、搬送装置でワークを順次送り込んで所要の加工を連続的に行う工作機械群が記載されている。それら工作機械の各々は、ディスプレイを備えており、その工作機械を管理する工作機械管理装置が、そのディスプレイに工作機械に関する情報を表示すること、また、そのディスプレイからの操作者による入力に基づいて、工作機械に関する情報の登録や工作機械の操作など、工作機械に関する種々の処理を行うことが可能に構成されている。
【先行技術文献】
【特許文献】
【０００３】
【特許文献１】特開平６−６３８５１号公報
【発明の概要】
【発明が解決しようとする課題】
【０００４】
上述のような工作機械管理装置に対して改良を施すことにより、その工作機械管理装置の実用性を高めることが可能である。本発明は、そのような観点からなされたものであり、実用性の高い工作機械管理装置を提供することを課題とする。
【課題を解決するための手段】
【０００５】
上記課題を解決するために、本発明の工作機械管理装置は、
複数の工作機械関連処理の各々に対応する画面である処理画面を、ディスプレイに表示させる処理画面表示部と、
ある事柄について工作機械がどのような状態にあるかを示すアイコンである状態表示アイコンを、複数の工作機械関連処理の各々の処理画面のいずれにも表示させる状態表示部と
を備え、
処理画面表示部が、
状態表示アイコンに対する操作が操作者によってなされた場合に、(A)その状態表示アイコンに示された事柄に関係する工作機械関連処理の処理画面をディスプレイに表示させる、あるいは、(B)状態表示アイコンに示された事柄に関する処理を行うためのウィンドウを現在表示されている処理画面上に表示させるように構成されたことを特徴とする。
【発明の効果】
【０００６】
本発明の工作機械管理装置は、ある事柄について工作機械がどのような状態にあるかをアイコンとして表示させるだけでなく、そのアイコンに対する操作者の操作を可能とし、そのアイコンに示された事柄に関係する工作機械関連処理を行うための処理画面あるいはウィンドウを表示させるように構成されることで、工作機械の操作性を向上させることが可能である。
【図面の簡単な説明】
【０００７】
【図１】本発明の一実施形態である工作機械管理装置を備えた工作機械モジュールを含んで構成された製造装置の斜視図である。
【図２】本発明の一実施形態である工作機械管理装置を構成するディスプレイを有する操作盤の正面図である。
【図３】本発明の一実施形態である工作機械管理装置を備えた工作機械モジュールの１つのである旋盤モジュールの工作機械本体の斜視図である。
【図４】図１に示した旋盤モジュールにおいてディスプレイに表示される工作機械関連処理に対応する処理画面の一例を示す図である。
【図５】固定メニューが表示された処理画面を示す図である。
【図６】（ａ）が、ディスプレイに表示される第１操作画面を示す図であり、（ｂ）が、第２操作画面を示す図である。
【図７】状態表示アイコンからＮＣ加工の制御モードを選択するためのダイアログ表示した処理画面を示す図である。
【図８】（ａ）が、工作機械の異常を表示するアラーム画面を示す図であり、（ｂ）が、工作機械に関する警告を表示するメッセージ画面を示す図である。
【図９】状態表示アイコンから各事柄についての状態のＯＮ・ＯＦＦを切り換えるためのダイアログを表示した処理画面を示す図である。
【図１０】図１に示した旋盤モジュールの制御装置の機能を示すブロック図である。
【発明を実施するための形態】
【０００８】
以下、本発明の工作機械管理装置の一実施形態を、図を参照しつつ詳しく説明する。なお、本発明は、下記実施形態の他、当業者の知識に基づいて種々の変更を施した態様で実施することができる。
【０００９】
＜製造装置の全体構成＞
図１には、ワークに対して作業を行う作業機がモジュール化された複数の作業機モジュール１２（図１では、７つ）が１つのラインとなるように配列され、それら複数の作業機モジュール１２が１つのワークに対して順次作業を行うように構成された製造装置が図示されている。その図１に示す製造装置を構成する７つの作業機モジュール１２は、右から順に、ワークを投入するワーク投入モジュール１２Ａ，切削加工を行う２つの旋盤モジュール１２Ｂ，２つの旋盤モジュール１２Ｂによって加工されたワークを検測する検測モジュール１２Ｃ，孔開け加工を行うドリミルモジュール１２Ｄ，歯切り加工を行うホブモジュール１２Ｅ，完成した製品を収納するストックモジュール１２Ｆである。本発明の一実施形態としての工作機械管理装置は、７つ作業機モジュール１２のうちの工作機械を含む作業機モジュール１２である２つの旋盤モジュール１２Ｂ，ドリミルモジュール１２Ｄ，ホブモジュール１２Ｅに設けられている。以下の説明において、それら工作機械を含む作業機モジュール１２Ｂ，１２Ｄ，１２Ｅを工作機械モジュール１２と呼ぶ場合がある。
【００１０】
工作機械モジュール１２の各々は、自身の作動を制御する制御装置２０を備えている（図１０参照）。その制御装置２０は、ＰＵ（プロセッシングユニット）２２，ＲＯＭ（リードオンメモリ）２４，ＲＡＭ（ランダムアクセスメモリ）２６を有するコンピュータを主体とするものである。ＲＯＭ２４には、作業機モジュール１２の一般的作動を制御するためのプログラムやデータが格納され、ＲＡＭ２６には、後に詳しく説明するが、操作者によって入力されるワークを加工するためのプログラムや各種のデータが格納される。
【００１１】
また、作業機モジュール１２のうちの上述した工作機械モジュール１２の各々は、ディスプレイ３０を有する操作盤３２を備えており、そのディスプレイ３０に表示される画面が、制御装置２０によって制御される。図２に、その操作盤３２の正面図を示している。操作盤３２は、ハード的なボタン等も有しているが、タッチパネル式のものとなっており、自身が備わる工作機械モジュール１２に関する操作や表示画面の切り換え等を、ディスプレイ３０に触れることで行うことが可能となっている。ＲＯＭ２４には、ディスプレイ３０に表示する各種の画像データが格納され、ＲＡＭ２６には、自身が備わる工作機械モジュール１２に関する情報、例えば、取り付けられている工具の情報、加工したワークの数など生産に関する情報等、ディスプレイ３０に表示する各種のデータが格納されている。
【００１２】
＜工作機械管理装置の構成＞
本実施形態の工作機械管理装置は、自身が備わる作業機モジュール１２の工作機械を管理すべく、それぞれがその工作機械に関連する処理である複数の工作機械関連処理を実行するものである。そして、本工作機械管理装置は、ディスプレイ３０を含んで構成され、そのディスプレイ３０を利用して複数の工作機械関連処理における入出力が行われるように構成されている。具体的には、本工作機械管理装置は、ディスプレイ３０に工作機械に関する情報を表示し、また、操作者によるディスプレイ３０からの入力に基づいて、工作機械に関する情報の登録や工作機械の操作を行うように構成されている。
【００１３】
図３には、作業機モジュール１２のうちの１つである旋盤モジュール１２Ｂの工作機械本体４０の斜視図を示している。その旋盤モジュール１２Ｂの工作機械本体である旋盤本体４０について簡単に説明すれば、旋盤本体４０は、自身の回転によってワークを回転させるためのスピンドル４２と、それぞれがツール（工具）である複数のバイト４４を保持するツール保持ヘッド４６と-、そのツール保持ヘッド４６を上下および前後に移動させるヘッド移動装置４８とを含んで構成され、スピンドル４２の先端に設けられたチャックによってワークを保持し、そのワークを回転させつつツール保持ヘッド４６に保持されたバイト４４によって切削加工を行うものである。
【００１４】
図４には、その旋盤モジュール１２Ｂにおいてディスプレイ３０に表示される処理画面の一例を示している。その図４に示す処理画面５０は、工作機械の動作に関する情報を出力する処理に対応する画面であり、工作機械の各軸の位置情報，設定されているプログラムのコード，サイクルタイムなどを閲覧するためのものである。また、ディスプレイ３０には、その処理画面とともに、様々なアイコンが表示されるようになっている。アイコン５２は、ディスプレイ３０に現在表示されている処理画面に対応する処理が分かるように、その処理の略画およびその処理の略称を表示するためものである。以下の説明において、アイコン５２を、選択中処理アイコン５２と呼ぶこととする。なお、本工作機械管理装置は、操作者によってその選択中処理アイコン５２にタッチ操作がなされた場合に、複数の工作機械関連処理のうちの１つを選択するための固定メニュー５４（図５参照）を処理画面上に表示させるようになっている。
【００１５】
また、ディスプレイ３０の左端の部分には、右向きの矢印が付されたメニューアイコン６０が表示されている。本工作機械管理装置は、操作者によってそのメニューアイコン６０から右側に向かってフリック操作（画面に触れた状態から指をはじく操作）がなされた場合に、通常は、上記固定メニュー５４を処理画面上に表示させるようになっている。そして、操作者によって、固定メニュー５４に表示された工作機械関連処理のうちの１つが選択（タッチ）された場合に、その選択された工作機械関連処理に対応する処理画面が、ディスプレイ３０に表示されるのである。
【００１６】
なお、固定メニュー５４について詳しく説明すれば、図５に示す左側の縦一列が、メインメニューバー６２であり、右側の縦一列が、サブメニューバー６４である。図５において、メインメニューバー６２には、４つの処理アイコン６６ａ，６６ｂ，６６ｃ，６６ｄが表示されているが、上下にフリック操作されることで、他の処理アイコンが表示される。メインメニューバー６２に表示された処理アイコン６６の一部は、それが選択された場合に、メインメニューバー６２の右側に、選択された処理アイコン６６に対応するサブメニューバー６４が表示されるものとなっている。そのサブメニューバー６４に表示された工作機械関連処理に対応する処理アイコン６８の１つが選択された場合に、その処理アイコン６８の工作機械関連処理に対応する処理画面が表示される。ちなみに、図５に示すサブメニューバー６４は、メインメニューバー６２における機械操作に関する処理アイコン６６ｃが選択された場合のものである。
【００１７】
図５におけるサブメニューバー６４のうちの上から２番目の処理アイコン６８ｂが操作者によって選択された場合、図６（ａ）に示す処理画面７０がディスプレイ３０に表示される。その処理画面７０は、工作機械である旋盤本体４０を動作させる処理を行うための機械本体操作画面であり、旋盤本体４０の各種の動作に対応する種々の操作ボタン等が表示されている。その図６（ａ）に示した処理画面７０は、第１操作画面であり、本実施例の工作機械管理装置においては、この第１操作画面７０とは別に、２つの操作画面が用意されている。それら２つの操作画面の１つは、図６（ｂ）に示した処理画面である第２操作画面７２であり、第１操作画面７０に表示された操作ボタンによる旋盤本体４０の動作とは別の動作をさせるための操作ボタンが表示されている。なお、もう１つの操作画面である第３操作画面については、図示を省略することとする。そして、それら３つの操作画面の各々には、それら第１操作画面７０，第２操作画面７２，第３操作画面を表す３つのアイコン８０ａ，８０ｂ，８０ｃが表示されている。
【００１８】
それら３つのアイコン８０のうちディスプレイ３０に現在表示されている操作画面に対応するものは、他の２つのものとは異なる色で表示されている（図６においては、ハッチがかけられている）。つまり、図６（ａ）に示す第１操作画面７０においては、アイコン８０ａが、図６（ｂ）に示す第２操作画面７２においては、アイコン８０ｂが、それぞれ他のアイコンと異なる色とされている。また、３つのアイコン８０のうちディスプレイ３０に現在表示されている操作画面に対応していない２つのものは、操作者によって操作可能なものとされており、操作者によってタッチ操作がなされた場合に、そのタッチ操作がなされたアイコン８０に対応する処理画面が、ディスプレイ３０に表示されるようになっている。
【００１９】
本工作機械管理装置においては、図４，図５，図６に示すように、複数の状態表示アイコン９０，９２，９４からなるステータスバー９６が、処理画面のいずれにも表示されるようになっている。そのステータスバー９６は、処理画面上の上端に左右方向に延びた状態で表示され、複数の状態表示アイコン９０，９２，９４が並んで配置されている。それら複数の状態表示アイコン９０，９２、９４は、それぞれ、ある事柄について工作機械である旋盤本体４０がどのような状態にあるかを示すものであり、大きく分けて３種のものに分類される。
【００２０】
まず、１種類目の状態表示アイコン９０は、操作者によって設定変更可能な事柄についての旋盤本体４０の状態を示すものであり、左から４つの状態表示アイコン９０ａ，９０ｂ，９０ｃ，９０ｄが相当する。それら４つの状態表示アイコン９０ａ，９０ｂ，９０ｃ，９０ｄは、それぞれ、選択されているワークの品番を示すもの，現在実行されるプログラム番号を示すもの，選択したツールに対して割出されているタレット番号を示すもの，現在選択されているＮＣ制御の制御モードを示すものである。
【００２１】
本工作機械管理装置においては、それら状態表示アイコン９０ａ，９０ｂ，９０ｃ，９０ｄの各々が操作者によってタッチ操作された場合に、その各々の示している項目を変更させるためのダイアログボックス（ウィンドウの一種である）が、現在表示されている処理画面上に表示されるようになっている。図７は、図４に示した処理画面５０において、状態表示アイコン９０ｄが操作者によってタッチ操作された場合におけるディスプレイ３０の表示画面である。その状態表示アイコン９０ｄは、現在選択されているＮＣ加工の制御モードを示すＮＣモードアイコンである。なお、本工作機械管理装置においては、ワークに対して加工作業を行うＮＣ加工の制御には７つの制御モードがあり、ワークに対して加工作業を行うための旋盤本体４０の作動状態を、それら７つの制御モードのうちから択一的に選択された制御モードに応じた作動状態とするようになっている。図７に示すように、処理画面５０上には、ＮＣ加工の制御モードを７つのモードのうちから操作者に選択させるためのダイアログボックス１００が表示されている。そのダイアログボックス１００は、図７に示すように、７つの制御モードに対応する７つのアイコン１０２が配置されており、それら７つのアイコン１０２のいずれかが操作者に選択された場合に、旋盤本体４０の作動状態が、その選択されたアイコン１０２に対応する制御モードに応じた作動状態とされる。なお、７つのアイコン１０２のいずれかが選択された場合、処理画面上に表示されるＮＣモードアイコン９０ｄが、選択された制御モードを表すイラストのアイコンに変更される。
【００２２】
例えば、従来の工作機械管理装置には、上記のＮＣ加工の制御モードの変更および現在選択されている制御モードの表示を行うために、それら複数の制御モードに応じた数のハード的なボタンを備え、それらのうちの１つが操作者によって押されると、その押されたボタンに応じた制御モードに工作機械の状態を変更するとともに、その押されたボタンに設けられたランプを点灯させるように構成されたものがある。本工作機械管理装置は、上記のような複数のハード的なランプ付きのボタンが、通常は、処理画面上に表示された１つのアイコンのみですむため、操作盤３２のコンパクトが図られているのである。また、本項機械管理装置は、工作機械の状態を操作者等に認識させるために状態表示アイコン９０の各々がディスプレイ３０内を占有するスペースが、比較的小さく抑えられているのである。
【００２３】
次に、２種類目の状態表示アイコン９２は、ある条件を満たした場合に点灯するランプとして機能するものであり、上記のＮＣモードアイコン９０ｄの右側の２つの状態表示アイコン９２ａ，９２ｂと、さらにその右側の５つの状態表示アイコン９２ｃ，９２ｄ，９２ｅ，９２ｆ，９２ｇが相当する。ＮＣモードアイコン９０ｄの右側の状態表示アイコン９２ａは、異常ランプとして機能するものであり、旋盤本体４０に異常がある場合に点灯するようになっている。以下の説明において、その状態表示アイコン９２ａを異常ランプアイコンと呼ぶ場合がある。そして、その点灯した状態の異常ランプアイコン９２ａが、操作者によってタッチ操作されると、先に説明したメニュー５４を用いることなく、図８（ａ）に示す処理画面であるアラーム画面１１０がディスプレイ３０に表示される。また、異常ランプアイコン９２ａの右側の状態表示アイコン９２ｂは、警告ランプとして機能するものであり、旋盤本体４０についての警告を発する必要がある場合に点灯するようになっている。以下の説明において、その状態表示アイコン９２ｂを警告ランプアイコンと呼ぶ場合がある。そして、その点灯した状態の警告ランプアイコン９２ｂが、操作者によってタッチ操作されると、メニュー５４を用いることなく、図８（ｂ）に示す処理画面であるメッセージ画面１１２がディスプレイ３０に表示される。また、警告ランプアイコン９２ｂの右側にある５つのアイコン９２ｃ，９２ｄ，９２ｅ，９２ｆ，９２ｇは、異常ランプアイコン９２ａおよび警告ランプアイコン９２ｂのような、ボタンとしての機能は有しておらず、ランプとしてのみ機能するものである。それら５つのアイコン９２ｃ，９２ｄ，９２ｅ，９２ｆ，９２ｇの各々についての詳細な説明は省略するが、それぞれ、旋盤本体４０がそれら各々に対して定められた状態となっている場合に点灯するようになっている。
【００２４】
３種類目の状態表示アイコン９４は、複数の事柄（本工作機械管理装置においては、６つ）についての旋盤本体４０の状態をまとめて表示するものである。なお、本工作機械管理装置は、工作機械関連処理として、それぞれが、ある事柄についての旋盤本体４０の状態をＯＮ状態（第１状態）とＯＦＦ状態（第２状態）との間で切り換える処理である６つの状態切換処理を実行するように構成されている。状態表示アイコン９４は、それら６つの状態切換処理の各々に対応する旋盤本体４０のある事柄についての状態を、ＯＮ状態である場合に点灯させ、ＯＦＦ状態である場合に点灯させずに表示するものとなっている。
【００２５】
本工作機械管理装置においては、その状態表示アイコン９４が操作者によってタッチ操作された場合には、図９に示すように、ダイアログボックス１２０が処理画面５０上に表示されるようになっている。そのダイアログボックス１２０は、上記６つの状態切換処理の各々に対応する６つのアイコン１２２が配置されたものである。そして、それら６つのアイコン１２２の各々が操作者によってタッチ操作された場合に、そのタッチ操作されたアイコン１２２に対応する事柄についての旋盤本体４０の状態が、ＯＮ状態からＯＦＦ状態に、あるいは、ＯＦＦ状態からＯＮ状態に切り換えられるようになっている。
【００２６】
例えば、従来の工作機械管理装置には、上記の複数の状態切換処理を行うために、それら複数の状態切換処理に応じた数のハード的なボタンを備え、それらの各々が操作者によって押されると、その押された状態切換処理に対応した工作機械の状態のＯＮ・ＯＦＦを切り換えるとともに、その押されたボタンに設けられたランプをＯＮ状態と時に点灯させるように構成されたものがある。本工作機械管理装置によれば、上記のような複数のハード的なランプ付きのボタンが、通常は、処理画面上に表示された１つのアイコンのみですむため、操作盤３２のコンパクトが図られているのである。また、本項機械管理装置は、工作機械の状態を操作者等に認識させるために状態表示アイコン９４がディスプレイ３０内を占有するスペースが、比較的小さく抑えられているのである。
【００２７】
＜工作機械管理装置の機能構成＞
本実施形態の工作機械管理装置の構成について、図１０を参照しつつ機能的側面から説明する。図１０は、工作機械モジュール１２の制御装置２０の機能を中心として説明するための機能ブロック図である。工作機械モジュール１２の制御装置２０は、複数の工作機械関連処理の各々に対応する画面である処理画面をディスプレイ３０に表示させる処理画面表示部１５０と、ある事柄について工作機械４０がどのような状態にあるかを示すアイコンである状態表示アイコンを複数の工作機械関連処理の各々の処理画面のいずれにも表示させる状態表示部１５２とを備えている。その処理画面表示部１５０は、状態表示アイコンに対する操作が操作者によってなされた場合に、状態表示アイコン９２ａ，９２ｂに示された事柄に関係する工作機械関連処理の処理画面をディスプレイ３０に表示させ、状態表示アイコン９０，９４に示された事柄に関する処理を行うためのウィンドウを現在表示されている処理画面上に表示させるように構成されている。
【００２８】
また、状態表示部１５２は、複数の工作機械関連処理の各々の処理画面のいずれにも、それぞれが状態表示アイコンである複数の状態表示アイコン９０，９２，９４を表示させるように構成されている。なお、状態表示アイコン９４は、複数の事柄についての工作機械の状態を表示するものであるが、操作者によって操作可能な他の状態表示アイコン９０，９２ａ，９２ｂと、同じ大きさとされており、工作機械の状態を示す部分が整ったものとなっている。そして、本工作機械管理装置は、それら処理画面表示部１５０，状態表示部１５２等を含んで構成されているのである。
【符号の説明】
【００２９】
１２：作業機モジュール    １２Ｂ：旋盤モジュール（工作機械モジュール）    １２Ｄ：ドリミルモジュール（工作機械モジュール）    １２Ｅ：ホブモジュール（工作機械モジュール）    ２０：制御装置    ２２：ＰＵ    ２４：ＲＯＭ    ２６：ＲＡＭ    ３０：ディスプレイ    ４０：旋盤本体〔工作機械〕    ４４：バイト    ５４：固定メニュー    ６０：メニューアイコン    ７０：第１操作画面〔処理画面〕    ７２：第２操作画面〔処理画面〕    ９０，９２，９４：状態表示アイコン    ９６：ステータスバー    １００：ダイアログボックス〔ウィンドウ〕    １１０：アラーム画面〔処理画面〕    １１２：メッセージ画面〔処理画面〕    １２０：ダイアログボックス〔ウィンドウ〕    １５０：処理画面表示部    １５２：状態表示部
【図１】
2017149667.tif 000003
【図２】
2017149667.tif 000004
【図３】
2017149667.tif 000005
【図４】
2017149667.tif 000006
【図５】
2017149667.tif 000007
【図６】
2017149667.tif 000008
【図７】
2017149667.tif 000009
【図８】
2017149667.tif 000010
【図９】
2017149667.tif 000011
【図１０】
2017149667.tif 000012
【国際調査報告】
2017149667.tif 000013
2017149667.tif 000014
2017149667.tif 000015
2017149667.tif 000016